(57)【要約】【課題】空調機を正常に作動させることができるとともに、キッチンから離間した位置であっても使い勝手の良いコントローラの設置構造を提供することを目的とする。【解決手段】温湿度センサーによって検知される部屋１０内の温度・湿度に基づいて空調機３を運転制御可能とされたコントローラ２が、リビング１１とダイニング１２とキッチン１３の機能を一室に併存させた居室である部屋１０のうち、キッチン１３から離間した位置に設けられた出入口１６付近の壁面１７に設置されている。これによって、空調機を正常に作動させることができる。さらに、キッチンから離間した位置であっても居住者の視界に入りやすく、例えば出入口への移動の途中でも操作等を行うことができ、使い勝手が良い。【選択図】図１
2014029073.tif 000002
【特許請求の範囲】
【請求項１】
住宅全体の電力等のエネルギー需給を総合的に管理するエネルギーマネージメントシステムにおいてエネルギー需給を制御・操作するためのコントローラを、住宅の部屋内に設置してなるコントローラの設置構造であって、
前記コントローラは、このコントローラ自体に備えられた温湿度センサーによって検知される前記部屋内の温度・湿度に基づいて、前記部屋内に設けられた空調機を運転制御可能であり、
前記部屋は、リビングとダイニングとキッチンの機能を一室に併存させた居室であり、
前記部屋には、前記キッチンから離間した位置に、前記リビングまたは前記ダイニングから前記部屋とは異なる他の部屋へと行き来するための出入口が設けられており、
前記コントローラは、前記出入口付近の壁面に設置されていることを特徴とするコントローラの設置構造。
【請求項２】
請求項１に記載のコントローラの設置構造において、
前記空調機は、空気を吹き出す吹出し口と、空気を吸い込む吸込み口とを備えており、
前記コントローラは、前記吹出し口から前記吸込み口に至る空気の循環経路上に配置されていることを特徴とするコントローラの設置構造。
【請求項３】
請求項１または２に記載のコントローラの設置構造において、
前記壁面は、前記部屋内のうち熱負荷の少ない場所に配置されていることを特徴とするコントローラの設置構造。
【請求項４】
請求項１〜３のいずれか一項に記載のコントローラの設置構造において、
前記コントローラは、前記壁面のうち直射日光が当たらない箇所に設置されていることを特徴とするコントローラの設置構造。
【請求項５】
請求項１〜４のいずれか一項に記載のコントローラの設置構造において、
前記壁面には、前記コントローラとは異なる他の機器が設置されており、
前記コントローラは、前記他の機器から離間して配置され、該他の機器に干渉しない箇所に設置されていることを特徴とするコントローラの設置構造。
【発明の詳細な説明】
【技術分野】
【０００１】
本発明は、住宅等の建物に導入されたエネルギーマネージメントシステムのコントローラの設置構造に関する。
【背景技術】
【０００２】
近年、家電機器や給湯機器など住宅内のエネルギー消費機器をネットワーク化し、エネルギーの使用状況を表示したり、エネルギーの使用状況に応じて各機器を自動制御したりするための手段として、ＨＥＭＳ（Ｈｏｍｅ  Ｅｎｅｒｇｙ  Ｍａｎａｇｅｍｅｎｔ  Ｓｙｓｔｅｍ）が提案されている（例えば、特許文献１参照）。ＨＥＭＳの導入により、住宅全体のエネルギーの需要と供給を総合的に把握するとともに、各機器を効率的に運転して省エネルギーを実現することが期待されている。
また、ＨＥＭＳのコントローラを、例えばリビングとダイニングとキッチンの機能を一室に併存させた部屋等のような、居住者が日常的にいる場所（居室）に設置すれば、居住者の視界に入りやすく、使い勝手が良い。
【先行技術文献】
【特許文献】
【０００３】
【特許文献１】特開２０１２−０５０２３６号公報
【発明の概要】
【発明が解決しようとする課題】
【０００４】
ところで、上述のようなＨＥＭＳのコントローラによってエアコン等の空調機を制御するために、ＨＥＭＳのコントローラには温湿度センサーが備えられている場合がある。
ところが、このように温湿度センサーが備えられたＨＥＭＳのコントローラを、例えばキッチンのコンロ付近に設置してしまうと、調理時の熱により、センサーの誤検知等が生じる場合がある。
【０００５】
本発明の課題は、空調機を正常に作動させることができるとともに、キッチンから離間した位置であっても使い勝手の良いコントローラの設置構造を提供することを目的とする。
【課題を解決するための手段】
【０００６】
請求項１に記載の発明は、例えば図１に示すように、住宅１全体の電力等のエネルギー需給を総合的に管理するエネルギーマネージメントシステムにおいてエネルギー需給を制御・操作するためのコントローラ２を、住宅１の部屋１０内に設置してなるコントローラ２の設置構造であって、
前記コントローラ２は、このコントローラ２自体に備えられた温湿度センサーによって検知される前記部屋１０内の温度・湿度に基づいて、前記部屋１０内に設けられた空調機３を運転制御可能であり、
前記部屋１０は、リビング１１とダイニング１２とキッチン１３の機能を一室に併存させた居室であり、
前記部屋１０には、前記キッチン１３から離間した位置に、前記リビング１１または前記ダイニング１２から前記部屋１０とは異なる他の部屋１５へと行き来するための出入口１６が設けられており、
前記コントローラ２は、前記出入口１６付近の壁面１７に設置されていることを特徴とする。
【０００７】
請求項１に記載の発明によれば、前記部屋１０のうち前記リビング１１や前記ダイニング１２よりも高温になりやすい前記キッチン１３から離間した位置の壁面１７に前記コントローラ２を設置できるので、前記温湿度センサーが、前記部屋１０全体の温度や湿度を誤検知することを防ぐことができ、前記空調機３を正常に作動させることができる。さらに、前記他の部屋１５へと行き来するための出入口１６付近は気流が発生しやすく熱が溜まりにくいため、前記コントローラ２を、前記出入口１６付近の壁面１７に設置することで、前記空調機３を正常に作動させることができる。
さらに、前記出入口１６は生活動線上に設けられることになるため、前記出入口１６付近の壁面１７に設置された前記コントローラ２は、居住者の視界に入りやすく、例えば前記出入口１６への移動の途中でも前記コントローラ２の操作やエネルギー状況の確認等を行うことができるので、たとえキッチン１３から離間した位置であっても使い勝手が良い。
【０００８】
請求項２に記載の発明は、例えば図２に示すように、請求項１に記載のコントローラ２の設置構造において、
前記空調機３は、空気を吹き出す吹出し口３ａと、空気を吸い込む吸込み口３ｂとを備えており、
前記コントローラ２は、前記吹出し口３ａから前記吸込み口３ｂに至る空気の循環経路３ｃ上に配置されていることを特徴とする。
【０００９】
請求項２に記載の発明によれば、前記コントローラ２は、前記吹出し口３ａから前記吸込み口３ｂに至る空気の循環経路３ｃ上に配置されているので、前記空調機３によって最適な状態に調節された空気の気流上に前記コントローラ２を配置できることとなる。これによって、前記空調機３を、より正常に作動させることができる。
【００１０】
請求項３に記載の発明は、例えば図１に示すように、請求項１または２に記載のコントローラ２の設置構造において、
前記壁面１７は、前記部屋１０内のうち熱負荷の少ない場所に配置されていることを特徴とする。
【００１１】
請求項３に記載の発明によれば、前記壁面１７は、前記部屋１０内のうち熱負荷の少ない場所に配置されているので、前記温湿度センサーが熱による影響を受けにくくなる。これによって、前記空調機３を、より正常に作動させることができる。
【００１２】
なお、前記部屋１０内のうち熱負荷の少ない場所とは、例えば、前記部屋１０内に備え付けられる暖房器具の周囲や、外気流入が多い場所（開口部１１ａ，１３ａ，１４ａ等）等が挙げられる。
【００１３】
請求項４に記載の発明は、例えば図１に示すように、請求項１〜３のいずれか一項に記載のコントローラ２の設置構造において、
前記コントローラ２は、前記壁面１７のうち直射日光が当たらない箇所に設置されていることを特徴とする。
【００１４】
請求項４に記載の発明によれば、前記コントローラ２は、前記壁面１７のうち直射日光が当たらない箇所に設置されているので、前記温湿度センサーが日射熱による影響を受けにくくなる。これによって、前記空調機３を、より正常に作動させることができる。
【００１５】
請求項５に記載の発明は、例えば図１および図３に示すように、請求項１〜４のいずれか一項に記載のコントローラ２の設置構造において、
前記壁面１７には、前記コントローラ２とは異なる他の機器４が設置されており、
前記コントローラ２は、前記他の機器４から離間して配置され、該他の機器４に干渉しない箇所に設置されていることを特徴とする。
【００１６】
請求項５に記載の発明によれば、前記コントローラ２は、前記他の機器４から離間して配置され、該他の機器４に干渉しない箇所に設置されているので、例えば前記コントローラ２や前記他の機器４の点検や修理のためのスペースを確保することができる。これによって、前記コントローラ２や前記他の機器４のメンテナンス時に作業上の不具合が生じず、前記エネルギーマネージメントシステム自体の管理・保全に寄与できる。
【発明の効果】
【００１７】
本発明によれば、リビングやダイニングよりも高温になりやすいキッチンから離間した位置の壁面にコントローラを設置できるので、温湿度センサーが、部屋全体の温度や湿度を誤検知することを防ぐことができ、空調機を正常に作動させることができる。さらに、他の部屋へと行き来するための出入口付近は気流が発生しやすく熱が溜まりにくいため、コントローラを、出入口付近の壁面に設置することで、空調機を正常に作動させることができる。
さらに、出入口は生活動線上に設けられるため、出入口付近の壁面に設置されたコントローラは、居住者の視界に入りやすく、例えば出入口への移動の途中でもコントローラの操作やエネルギー状況の確認等を行うことができるので、たとえキッチンから離間した位置であっても使い勝手が良い。
【図面の簡単な説明】
【００１８】
【図１】本発明に係るコントローラの設置構造が適用される建物の一例を示す平面図である。
【図２】部屋における空気の流れとコントローラとの位置関係を示す説明図である。
【図３】コントローラと他の機器との位置関係を示す説明図である。
【発明を実施するための形態】
【００１９】
以下、図面を参照して本発明の実施の形態について説明する。
図１において符号１は、住宅を示す。この住宅１は複数階建てであり、図１は住宅１の１階部分を示している。また、説明の便宜上、図１中において上側が北の方向とされており、下側が南の方向とされている。
また、住宅１の１階部分には、玄関１ａや、トイレ・洗面所・浴室等の水廻り室１ｂ、階段１ｃ、廊下１５等の他に、複数の部屋が備えられている。これら複数の部屋のうち、前記住宅１の南側から東側にかけて設けられた部屋１０は、リビング１１とダイニング１２とキッチン１３の機能を一室に併存させた居室とされている。また、本実施の形態においては、第２のリビングとして和室１４が、前記住宅１の南東部分に設けられている。
【００２０】
前記リビング１１は、前記玄関１ａの東側に配置されている。
このリビング１１の南側の外壁には連窓である開口部１１ａが形成されている。また、この開口部１１ａには建具が設けられている。
また、このリビング１１の西側には、前記玄関１ａへと通じるドア付きの出入口１１ｂが設けられている。
【００２１】
前記リビング１１の東側には、床に複数枚の畳が敷設された前記和室１４が配置されている。
この和室１４の南側の外壁には、窓としての開口部１４ａが形成されている。また、この開口部１４ａには建具が設けられている。
【００２２】
前記和室１４の北側には前記ダイニング１２が配置されている。
また、このダイニング１２の西側には、前記廊下１５へと通じるドア付きの出入口１６が設けられている。
なお、前記出入口１６付近は気流が発生しやすく熱が溜まりにくくなっている。すなわち、前記出入口１６に設けられるドアを開閉したり、ドアと床やドアとドア枠との隙間を通じて空気が出入りすることで、自然に気流が発生することとなる。図１においては、複数の破線矢印が該気流を表している。
【００２３】
前記ダイニング１２の北側にはキッチン１３が配置されている。
このキッチン１３の北側の外壁には窓としての開口部１３ａが形成されている。この開口部１３ａには建具が設けられている。
前記キッチン１３には、ペニンシュラキッチンタイプのコンロ１３ｂ付き流し台が設置されている。なお、前記コンロ１３ｂの周囲は、他の空間に比して高温になりやすい高温領域１３ｃとされている。
【００２４】
前記リビング１１と、前記ダイニング１２と、前記キッチン１３と、前記和室１４との間には建具が設けられない状態となっている。すなわち、これら前記リビング１１と、前記ダイニング１２と、前記キッチン１３と、前記和室１４は、空間的に一体化されることによって他の部屋よりも広い大空間とされており、居住者全員が集う共用居住空間として使用されている。
【００２５】
前記出入口１６は、前記キッチン１３から離間した位置に配置され、前記リビング１１または前記ダイニング１２（または前記和室１４）から前記部屋１０とは異なる他の部屋へと行き来するために設けられるものである。上述のように、この出入口１６の外側には前記廊下１５が設けられている。
なお、前記廊下１５は広義には前記住宅１内の空間を仕切ってなる一つの空間、すなわち部屋であり、本実施の形態においては、この廊下１５自体が、前記部屋１０とは異なる他の部屋として捉えられているものとする。または、前記廊下１５を通じて前記部屋１０とは異なる他の部屋へと行き来できる通路としての機能空間という意味合いで捉えてもよいものとする。
【００２６】
前記住宅１には、この住宅１全体の電力等のエネルギー需給を総合的に管理するエネルギーマネージメントシステムが導入されている。また、前記部屋１０には、エネルギー需給を制御・操作するためのコントローラ２が設置されている。
より具体的には、前記コントローラ２は、エネルギー状況や各種情報が表示される表示部と、前記表示部に表示された画面や前記エネルギーマネージメントシステムに組み込まれた各種機器の操作を行うための操作部と、前記エネルギーマネージメントシステムの各種動作を制御するための制御手段と備える。
なお、前記コントローラ２は、例えばスマートフォン等の情報端末と接続されており、外出中でも、この情報端末上で各種操作や情報確認等を行うことができる。
【００２７】
また、このコントローラ２は、電力計測部を有する分電盤と接続されており、系統電源や自家発電電力、蓄電電力等を管理・制御できるとともに、前記分電盤を介して接続された家電機器等の制御も行うことができる。
本実施の形態において、前記コントローラ２は、前記部屋１０内に設けられたエアコン等の空調機３と接続されており、この空調機３の運転制御が可能となっている。また、このコントローラ２は、前記空調機３の運転制御を行うために、前記部屋１０内の温度・湿度を検知する温湿度センサーを備える。つまり、前記コントローラ２は、前記温湿度センサーによって検知される前記部屋１０内の温度・湿度に基づいて、前記空調機３を運転制御している。
【００２８】
そして、前記コントローラ２は、前記出入口１６付近の壁面１７に設置されている。すなわち、前記出入口１６は、前記キッチン１３から離間した位置に設けられているので、前記壁面１７に設置された前記コントローラ２も、前記部屋１０のうち前記リビング１１や前記ダイニング１２よりも高温になりやすい前記キッチン１３から離間した位置に配置することができる。特に、前記キッチン１３の前記高温領域１３ｃからは確実に離間させて配置する必要がある。
また、前記コントローラ２を前記キッチン１３から離間した位置に配置できるので、このコントローラ２に備えられた前記温湿度センサーも、前記キッチン１３から離間した位置に配置できる。
さらに、前記出入口１６は生活動線上に設けられることになるため、前記出入口１６付近の壁面１７に設置された前記コントローラ２も生活動線上または生活動線の近傍に設けられることになる。
なお、生活動線上には障害物が少ないため、気流が発生しやすい。すなわち、本実施の形態においては、図１において記された矢印に沿った通路や、矢印付近の障害物がない通路等が生活動線とされている。
【００２９】
なお、前記壁面１７は、前記部屋１０内のうち熱負荷の少ない場所に配置されている。これによって、前記温湿度センサーが熱による影響を受けにくくなる。前記部屋１０内のうち熱負荷の少ない場所とは、例えば、前記部屋１０内に備え付けられる暖房器具の周囲や、前記開口部１１ａ，１３ａ，１４ａ付近の外気流入が多い場所が挙げられる。
【００３０】
また、前記空調機３は、調節された空気の吹出し口３ａと、前記部屋１０内の空気を吸い込む吸込み口３ｂと、を備える。
また、このような空調機３は、図２に示すように前記部屋１０の壁の上部に設置されている。そして、前記吹出し口３ａから吹き出された空気と、前記吸込み口３ｂによって吸い込まれる空気とによって、前記部屋１０内に、一種の気流としての空気の循環経路３ｃが形成されている。
そして、前記コントローラ２は、前記空気の循環経路３ｃ上に配置されている。これによって、前記空調機３によって最適な状態に調節された空気の気流上に前記コントローラ２を配置できることとなる。これによって、前記温湿度センサーが、前記部屋１０に溜まった熱による影響を受けにくくなる。
【００３１】
さらに、前記コントローラ２は、前記壁面１７のうち直射日光が当たらない箇所に設置されている。これによって、前記温湿度センサーが日射熱による影響を受けにくくなる。したがって、前記壁面１７に対向する壁には、窓等の開口部が設けられないように前記部屋１０が構成されている。
なお、例えば前記壁面１７に対向する壁に窓等の開口部が設けられている場合には、この窓等の開口部と前記壁面１７との間に、前記壁面１７への直射日光を防ぐ日射遮蔽手段（例えば開口部に設置されるルーバー等）を設けたり、窓等の開口部の外側に張出長さの長い庇や屋根等を設けたりしてもよいものとする。つまり、前記壁面１７に日陰を作るようにする。
【００３２】
なお、前記部屋１０内の温度は、マイナス５℃〜４５℃の範囲に設定されているものとする。これによって、前記温湿度センサーが熱による影響を受けにくくなる。
また、前記コントローラ２は、前記部屋１０内の所定の位置に設置されていればよく、前記住宅１内において前記部屋１０が配置される場所は特に限定されるものではない。つまり、前記部屋１０は、前記住宅１の１階部分の南側から東側にかけて設けられているが、前記住宅１内のいずれの場所に設けられていてもよい。
【００３３】
一方、前記壁面１７には、図３に示すように、前記コントローラ２とは異なる他の機器４を設置してもよいものとする。他の機器４としては、例えばテレビドアホンや、給湯設備等のリモコン等が挙げられる。このような場合、前記コントローラ２は、前記他の機器４から離間して配置され、該他の機器４に干渉しない箇所に設置されている。
なお、本実施の形態のコントローラ２は、下面に、このコントローラ２の筐体を固定するためのビス止め部２ａがあるため、このコントローラ２の下方に前記他の機器４を設置する場合には、比較的広いスペースをあける必要がある。本実施の形態において、前記コントローラ２の上面側および左右側面側に前記他の機器４を設置する場合には、２０ｍｍ以上離して設置するようにし、前記コントローラ２の下面と前記他の機器４との間は２５０ｍｍ以上離して設置する。
これによって、例えば前記コントローラ２や前記他の機器４の点検や修理のためのスペースを確保することができるので、前記コントローラ２や前記他の機器４のメンテナンス時に作業上の不具合が生じず、前記エネルギーマネージメントシステム自体の管理・保全に寄与できる。
【００３４】
以上のように、前記エネルギーマネージメントシステム用のコントローラ２と前記エアコン等の空調機３とを、前記温湿度センサーを利用して連携動作させる場合には、上述のような「前記コントローラ２を、前記出入口１６付近の前記壁面１７に設置する。」等の各種設置条件を少なくとも一つ以上満たすようにする。
【００３５】
本実施の形態によれば、前記部屋１０のうち前記キッチン１３、特に前記高温領域１３ｃから離間した位置の壁面１７に前記コントローラ２を設置できるので、前記温湿度センサーが、前記部屋１０全体の温度や湿度を誤検知することを防ぐことができ、前記空調機３を正常に作動させることができる。さらに、前記出入口１６付近は気流が発生しやすく熱が溜まりにくいため、前記コントローラ２を、前記出入口１６付近の壁面１７に設置することで、前記空調機３を正常に作動させることができる。
さらに、前記出入口１６は生活動線上に設けられることになるため、前記コントローラ２は、居住者の視界に入りやすく、例えば前記出入口１６への移動の途中でも前記コントローラ２の操作やエネルギー状況の確認等を行うことができるので、たとえキッチン１３から離間した位置であっても使い勝手が良い。
【符号の説明】
【００３６】
１  住宅
２  コントローラ
３  空調機
１０  部屋
１１  リビング
１２  ダイニング
１３  キッチン
１４  和室
１５  他の部屋（廊下）
１６  出入口
１７  壁面
【図１】
2014029073.tif 000003
【図２】
2014029073.tif 000004
【図３】
2014029073.tif 000005